(57)【特許請求の範囲】
【請求項１】
ゴム材料でできたチューブに伸縮性のある紐状体が挿通され、前記チューブと紐状体により環状体を形成していることを特徴とする紙捲り具。
【請求項２】
前記環状体を形成する前記紐状体の一部に支持板を有することを特徴とする請求項１に記載の紙捲り具。
【請求項３】
穴あき装飾具に前記紐状体が挿通され、前記環状体の一部に前記穴あき装飾具を有することを特徴とする請求項１または請求項２に記載の紙捲り具。
【請求項４】
前記チューブが少なくとも２の穴を有していて、前記穴に前記紐状体が挿通されて少なくとも２つの環状体を形成していることを特徴とする請求項１乃至請求項３のいずれか一つに記載の紙捲り具。
【発明の詳細な説明】
【技術分野】
【０００１】
本発明は、伝票や書籍などを指先でめくる際に使用する紙捲り具に関するものであり、着用時に指先の蒸れを防止するものであり、１つのサイズで様々な太さの指にフィットし、更に様々な装飾を可能とする。
【背景技術】
【０００２】
従来より、着用時に指先の蒸れを軽減するため、通気口を空けたタイプの「むれない指サック」（例えば特許文献１）があった。
また、指の先端部分が開放しており指先の蒸れを軽減することのできるリング形状の指サックである「伝票めくり用文具」（例えば特許文献２）があった。
【先行技術文献】
【特許文献】
【０００３】
【特許文献１】特開２００３−９４８６１
【特許文献２】特開１９９７−５２４７１
【発明の概要】
【発明が解決しようとする課題】
【０００４】
従来の紙捲り具は指の周りを素材全体で覆うタイプであり、素材全体が指に広く密着している。指の周囲全体を通気性の悪いゴム素材で覆うために、指に圧迫感を感じやすく、血行が悪くなり指先が冷たくなるなど不快感を生じるという難点があった。また、紙捲り具内部が蒸れて指に不快感を生じさせるとともに、紙捲り具内部に水分が付着し、使用時に紙捲り具が回転して、紙を捲ることができなくなることもあった。
【０００５】
指先に開放部分を設けたり、指の腹部分に穴の開いている紙捲り具はあるものの、紙捲り具が指の表面積の大部分を覆うために、指に対する圧迫感を発生させることはあまり変わらず、紙捲り具内部が蒸れて指に不快感を生じさせる問題についても大きな改善には至っていない。
【０００６】
従来の紙捲り具はひとつの素材で一体成型したものであり、紙捲り具のもつ伸びしろ（伸縮の幅）により指への圧迫感や１つのサイズの紙捲り具の適応できる指のサイズが決まってくる。
素材のもつ弾性力や素材の厚みにより紙捲り具の伸縮幅が決定し、その製品１サイズで適応できる指のサイズは決まってくる。従来の紙捲り具では指のサイズのバリエーションにあわせて複数のサイズを用意しなくてはならなかった。
【０００７】
また、従来の紙捲り具はデザイン的なバリエーションに変化が乏しい。従来から現在まで紙捲り具の代表的なデザインとしてゴムを素材とした赤茶色の紙捲り具がある。近年ではシリコンが主流となりつつあり、透明なシリコンゴムに薄い色を施したものもある。使用者としては女性が多いこともあり、デザイン性を追及される傾向にあり、このデザイン性が旧来よりあるゴム生地のものからシリコン生地へ移行している要因のひとつでもある。しかしながら、透明性あるシリコンに色を施したり、ラメを入れるといったデザインに留まっているのが現状であり、紙捲り具を主に使用する環境である事務環境においておしゃれに使える用具とはなりえていない。
【課題を解決するための手段】
【０００８】
上記記載の課題として、大きく３つの課題を取り上げている。第一に指が感ずる不快感を軽減することであるが、それは圧迫感の軽減であり蒸れの軽減である。第二に指の大小に関わらず少ないサイズでフィットする適合性である。第三に装飾性である。
【０００９】
さて、紙捲り具に求められる機能を分析すると、書籍や伝票などの紙面を捲るに際して、捲る指の表面に紙面との摩擦力を持つ捲り部を有することが必須となる。また、その捲り部は捲る作業に適合するために指先の表面にフィットする柔軟性を持つ必要がある。さらに、作業時においてもの捲り部が指先に保持されなければならない。
【００１０】
本発明である紙捲り具は、紙捲り具の機能を保ちつつ３つの課題を解決するものである。本発明の第一の形状は、捲り部がチューブでできており、チューブの中を紐状体が通って環状体を形成していることを特徴としている。チューブの材質は摩擦力の大きいゴム素材であり、紐状体は捲り部であるチューブよりも伸縮幅を有することを特徴としており材質としてゴム素材等を用いる。チューブと紐状体で構成される環状体の内部に指を通してチューブ部分を指の腹に位置させ、紐状体の適当な伸縮性により捲り部であるチューブが指にフィットする。この場合、指を覆う面積が従来の紙捲り具に比べて著しく少ないために圧迫や蒸れの不快感を大幅に軽減できる。紐状体は細く、捲り部よりも伸縮幅が大きいために指の大小にあまり影響することなくフィットすることができるため、たくさんのサイズを設ける必要がない。
【００１１】
本発明である紙捲り具の別の形状として、前述の紙捲り具に対して爪を覆う部位に支持板を設けることで、紙捲り具自体の回転をより防止することができ指への挿着の安定感を増すことができる。
また、チューブの形状（断面形状）を方形にすることや、チューブと紐状体でできた複数の環状体を１つの支持板でつなげることや、複数の穴を有するチューブを用いることで、紙捲り具自体の回転をより防止することができ指への挿着の安定感を増すことができる。
【００１２】
本発明である紙捲り具はチューブと紐状体を用いることで、さまざまな装飾が可能となる。例えば紐状体の部分にビーズなどの穴の開いた装飾物を通すことで装飾性が一気に高まる。更に支持板に付け爪を用いるとネイルアートあしらった紙捲り具を作ることも可能となり、紙捲り具の装飾性が無限に広げることができる。
【発明の効果】
【００１３】
本発明である紙捲り具は、指の露出が多いことから圧迫感や蒸れといった不快感が大幅に軽減される。
【００１４】
また、少ない紙捲り具のサイズで多くの指に適合することができる。例えば１つのサイズで使用者の５本の指どれにつけてもフィットさせることもできる。
【００１５】
さらに、ビーズやネイルアートなどを施すことができるために付加価値の高い紙捲り具を提供することが可能である。
【００１６】
その他、紙捲り具に限らずチューブと紐状体のサイズを変えれば瓶の蓋空けなどの滑り止め具にも使用することができる。紐状体の伸縮性が高ければ１サイズの本発明で、広い範囲の瓶の口径サイズに適合することができる。
【図面の簡単な説明】
【００１７】
【図１】本発明の第１実施形態による紙捲り具の斜視図である。
【図２】本発明の第２実施形態による紙捲り具の斜視図である。
【図３】本発明の第３実施形態による紙捲り具の斜視図である。
【図４】本発明の第４実施形態となる紙捲り具のチューブ部分の斜視図である。
【図５】本発明の第５実施形態となる紙捲り具のチューブ部分の斜視図である。
【図６】本発明の第６実施形態による紙捲り具の斜視図である。
【図７】本発明の第７実施形態による紙捲り具の斜視図である。
【図８】本発明の第１実施形態による紙捲り具の挿着状態を表す斜視図である。
【図９】本発明の第２実施形態による紙捲り具の挿着状態を表す斜視図である。
【図１０】本発明の第５実施形態による紙捲り具の挿着状態を表す斜視図である。
【図１１】本発明の第８実施形態による紙捲り具の挿着状態を表す斜視図である。
【図１２】本発明の第２実施形態による紙捲り具に装飾を施して挿着した状態を表す斜視図である。
【発明を実施するための形態】
【００１８】
図１に示すとおり、本発明である紙捲り具１は、チューブ１０と紐状体２０で構成されている。紐状体２０がチューブ１０の内部を通っており、紐状体２０を結ぶ・接着するなどして環状体を形成する。環状体の内周は使用する指の外周よりも短い。チューブ１０は書籍や伝票などの紙面を捲る摩擦力を有する素材であり例えばシリコンゴム、ブチルゴム、ウレタンゴム、エチレンプロピレンゴムなどの各種ゴム材料でできている。
紐状体２０はチューブ１０よりも高い伸縮幅を有し、指サイズとの調整機能を紐状体２０に持たせることにより１つのサイズの紙捲り具１でさまざまなサイズの指に適合することができる。この点は従来の紙捲り具との大きな差異である。従来の紙捲り具は同一素材の一体成形によるものであるために素材の種類と厚みにその伸縮幅が依存しており、紙捲り具全体が一体となっているために伸縮幅は少なく、サイズの異なる指に適合するためにはたくさんの種類のサイズを設けなくてはならなかった。紐状体２０は伸縮性を有する素材であり、例えばナイロンゴム、シリコンゴム、ブチルゴム、ウレタンゴム、エチレンプロピレンゴムなどの各種ゴム材料でできている。紐状体２０は捲り部位となるチューブ１０よりも細いため、仮に同じ素材であってもチューブ１０よりも紐状体２０の伸縮幅が大きくなる。
【００１９】
図８に紙捲り具１の装着状態を示している。チューブ１０は指の腹部分に位置し、紐状体２０が指の背部分（爪）に位置している。紐状体２０の伸縮性に伴う締め付けにより、チューブ１０は指先の腹部分に位置し、書籍や伝票などの紙面を捲ることができる。      
従来の紙捲り具は一部開放されている部分があるものもあるが概ね指全体を覆って締め付けているために指への圧迫感と蒸れが発生していたが、図８に示すとおり紙捲り具１は指と接する部分が少ない。また紐状体２０の高い伸縮幅により紙捲り具１では指を覆う部分は一部であるため、圧迫による不快感や蒸れによる不快感が大幅に改善される。
【００２０】
図２で示すとおり本発明である紙捲り具２は、チューブ１０と紐状体２０と支持板３０で構成されている。紐状体２０がチューブ１０の内部を通り、支持板３０に設けられた穴４０を通って紐状体２０を結ぶ・接着するなど接合することで、環状体を形成する。紐状体２０の両端を穴４０に直接結びつけても良い。あるいは、紐状体２０がチューブ１０の内部を通り、支持板３０の一部に紐状体２０を結ぶ・接着するなど接合することで、環状体を形成しても良い。
図９に紙捲り具２の装着状態を示しており、チューブ１０は指先の腹部分に位置し、支持板２０が指に背部分（爪）に位置する。支持板３０を設けることにより上部が面で固定されて本発明である紙捲り具２の使用時における紙捲り具自体の回転をより防止することができ指への挿着の安定感を増すことができる。
支持板３０は爪程度の面積を有していれば良い。また、支持板３０の形状は付け爪形状のように、やや内側に向かって曲がっている形状がより指にフィットして望ましい
図９に示すとおり、紙捲り具２は指と接する部分が少ない。また、支持板３０は爪を覆う位置にあるため圧迫感や蒸れの発生に対して影響をもたらさない。また紐状体２０の高い伸縮幅により従来の紙捲り具に比べ、圧迫による不快感や蒸れによる不快感が大幅に改善される。
【００２１】
チューブの本数や形状を変えることで、紙捲り具の使用感を変えることができる。さらに後述するデザイン性を更にアップさせることができる。
例えば図３に示すとおり、２本のチューブ１０と支持板３０の穴４０に紐状体２０を通して環状体を形成させることで、捲りを可能とする部位をより広くもうけることができる。例えば指の腹と指の第一関節付近にチューブ１０を分けて、紙面を指のいろんな箇所で捲ることができる。当然ながら指における開放部分が大きく、紐状体２０のもつ高い伸縮性により従来の紙捲り具に比べ、圧迫による不快感や蒸れによる不快感が大幅に改善される。
【００２２】
例えば図４に示すチューブ１１は断面が該正方形のチューブであり、これを本発明のチューブとして用いることにより本発明である紙捲り具の使用時における紙捲り具自体の回転をより防止することができ指への挿着の安定感を増すことができる。当然ながら指における開放部分が大きく、紐状体２０のもつ高い伸縮性のために従来の紙捲り具に比べ、圧迫による不快感や蒸れによる不快感が大幅に改善される。
【００２３】
さらに図５に示すチューブ１２は断面が該長方形のチューブ１２である。図１０に長方形のチューブ１２を用いた紙捲り具５の挿着状態を表している。チューブ１２と支持板３０の穴４０に複数本の紐状体２０を通して環状体を形成させることで、捲りを可能とする部位をより広くするとともに、チューブに面を持たせることで本発明である紙捲り具の使用時における紙捲り具自体の回転をより防止することができ指への挿着の安定感を増すことができる。
当然ながら指における開放部分が大きく、紐状体２０のもつ高い伸縮幅のために従来の紙捲り具に比べ、圧迫による不快感や蒸れによる不快感が大幅に改善される。
【００２４】
図１１に示すとおり紙捲り具６は２つの穴を有する幅広のチューブを用いたものであり、２本の紐状体２０がチューブ１３内部と支持板３０を通り環状体を形成している。チューブに面を持たせ、紐状体２０のチューブ穴内における移動を制限することで本発明である紙捲り具の使用時における紙捲り具自体の回転をより防止することができ指への挿着の安定感を増すことができる。
当然ながら指における開放部分が大きく、紐状体２０のもつ高い伸縮性のために従来の紙捲り具に比べ、圧迫による不快感や蒸れによる不快感が大幅に改善される。
尚、チューブの穴は２つに限らず３つ以上設けても良い。
【００２５】
チューブが紙面に対してより滑りをおこさないようにするために、チューブの表面に小さな突起を設けても良い。
【００２６】
本発明で更に特徴的なのは装飾における広がりである。従来の紙捲り具であれば１つの素材で構成されているためにデザインは形状とその色に依存していた。しかしながら本発明は紐状体１０とチューブ、または紐状体１０とチューブおよび支持板３０という２つ乃至３つのパーツで構成されていることにより、作業性に影響しない部分においてさまざまな装飾を施すことが可能となる。
【００２７】
例えば図６に示すように紙捲り具７は穴あき装飾具５０を紐状体２０に通したものであり、捲るという作業に関与しない部分に対して装飾を施すことができることを表している。穴あき装飾具５０はビーズ玉、穴空きの誕生石、カラーパイプなど貫通した穴を設けた素材であればさまざまなものが装飾の対象となりうる。
【００２８】
例えば図７に示すように紙捲り具８はチューブ１０を透明にしたものであり（例えば透明なシリコンゴムによるチューブ）、チューブ１０の内径より小さな穴あき装飾具５０を紐状体２０に通してチューブ内部に配置させてチューブ内部を装飾させたものである。チューブを透明にすることでチューブ部分を装飾することができる。チューブ内部を装飾できることによりチューブ部位も自在に装飾を施すことができる。また、紐状体１０に色を施してもチューブ部分を装飾することができる。尚、透明のチューブは断面が円形のものに限らず、どの形状のチューブであっても透明であれば内部装飾が可能である。
【００２９】
例えば図１２に示した紙捲り具２は支持板３０に花びらを描いて装飾したものであり、穴あき装飾具５０を紐状体２０に通し、穴あき装飾具５０をチューブ１０と支持板３０の間に並べて装飾したものである。
【００３０】
すなわち、紙捲り具としての捲り機能は維持しつつ、紐状体２０の色や素材、穴あき装飾具５０の形状・素材・色、支持板の形状・素材・色・絵柄などの組み合わせにより紙捲り具の装飾が自在にかつ簡単にできる。このことにより、特に女性を中心とした事務仕事を紙捲り具という道具によって楽しむことができる。
尚これらの組合わせによる装飾は、前述してきたどの形状のチューブにおいても可能である。更にチューブを透明な素材にした場合は、チューブ内部も装飾可能な部位となる。
【実施例１】
【００３１】
図９・図１２を参考に実施例を示す。支持板３０としてＡＢＳ樹脂性の付け爪を用い、付け爪の左右両端の中央部付近に穴４０をあけた。紐状体２０として直径０．９ｍｍの透明なナイロンゴムを用い、チューブ１０として透明なシリコンゴムのチューブ（内径３ｍｍ外径５ｍｍ）３０ｍｍを用いた。紐状体２０をチューブ１０に通し、穴あき装飾具５０としてビーズ玉を通し、支持板３０の穴４０を通し、支持板３０の下部において紐状体２０を引っ張った状態で結び、紙捲り具を構成した。紐状体２０はよく伸縮し、小指から親指まで５本の指に対して適度な張りをもった状態で該紙捲り具を挿着することができ、圧迫による不快感や蒸れによる不快感を殆ど感じることなく伝票など紙面の捲りもスムーズにできた。
【産業上の利用可能性】
【００３２】
本発明は完成品として販売する他、パーツ構成上、装飾を行いやすいという特徴があるため、手作りキットとして販売することも可能である。例えば紐状体２０とチューブ１０乃至チューブ１３と支持板３０を基礎部品として、穴あき装飾具５０のひとつであるビーズ玉の組合わせや支持板３０へのデコレーションは使用者が自由に行える形での販売方法もある。この場合、使用者がオリジナルの紙捲り具を作ることができ、使用者にとって紙捲り具の付加価値が高まる。
【００３３】
本発明は、紐状体２０の高い伸縮性という性質を利用して紙捲り具のみならず、チューブや紐状体のサイズを大きくすることで蓋開けなどの滑り止め具として利用することもできる。
【符号の説明】
【００３４】
１      紙捲り具
２      紙捲り具
３      紙捲り具
５      紙捲り具
６      紙捲り具
７      紙捲り具
８      紙捲り具
１０    チューブ
１１    チューブ
１２    チューブ
１３    チューブ
２０    紐状体
３０    支持板
４０    穴
５０    穴あき装飾具
【図１】
0005616268.tif 000002
【図２】
0005616268.tif 000003
【図３】
0005616268.tif 000004
【図４】
0005616268.tif 000005
【図５】
0005616268.tif 000006
【図６】
0005616268.tif 000007
【図７】
0005616268.tif 000008
【図８】
0005616268.tif 000009
【図９】
0005616268.tif 000010
【図１０】
0005616268.tif 000011
【図１１】
0005616268.tif 000012
【図１２】
0005616268.tif 000013